(57)【要約】【課題】ハンズフリーでカラオケを楽しむことができるとともに、ダンスや振りを付けての歌唱に最適なカラオケ装置を提供すること。【解決手段】カラオケ装置はテレビ等の出力装置４に接続される装置本体１と、該装置本体１に無線で接続されるヘッドセットマイク装置３とを備え、上記装置本体１は楽曲・画像データを記憶したデータカートリッジ９が着脱可能であり、上記ヘッドセットマイク装置３は音声をＦＭ波で上記装置本体１に送信し、該装置本体１は上記ヘッドセットマイク装置３が送信したＦＭ波をＦＭ受信部１１で受信するとともに、受信したＦＭ波と上記データカートリッジ９に記憶されている楽曲・画像データとに基づいて音声信号及び画像信号を作成し、作成した音声信号及び画像信号を出力装置４に出力する。【選択図】　　　　図１
2004117552.tif 000002
【特許請求の範囲】
【請求項１】
以下の要件を備えることを特徴とするカラオケ装置。
（イ）上記カラオケ装置はテレビ等の出力装置に接続される装置本体と、該装置本体に無線で接続されるヘッドセットマイク装置とを備えること
（ロ）上記装置本体は楽曲・画像データを記憶したデータカートリッジが着脱可能であること
（ハ）上記ヘッドセットマイク装置は音声をＦＭ波で上記装置本体に送信すること
（二）上記装置本体は上記上記ヘッドセットマイク装置が送信したＦＭ波を受信するとともに、受信したＦＭ波と上記カートリッジに記憶されている楽曲・画像データとに基づいて音声信号及び画像信号を作成し、作成した音声信号及び画像信号を上記出力装置に出力すること
【請求項２】
以下の要件を備える、請求項１記載のカラオケ装置。
（イ）前記ヘッドセットマイク装置は装置本体の設定を遠隔操作するコントローラを有し、該コントローラは遠隔操作部と、該遠隔操作部の操作信号を赤外線で送信する赤外線送信部とを備えること
（ロ）前記装置本体は上記コントローラの送信する赤外線信号を受信する赤外線受信部を備え、該赤外線受信部で受信した赤外線信号に基づいて装置本体の設定が変更されること
【請求項３】
以下の要件を備える、請求項１又は２記載のカラオケ装置。（イ）前記装置本体には前記ヘッドセットマイク装置が送信するＦＭ波を受信する少なくとも１つのＦＭ受信装置を着脱可能に設けること
（ロ）前記ヘッドセットマイク装置は送信するＦＭ波の送信周波数を複数有するとともに、複数の送信周波数の中から１つの送信周波数を選択する選択手段を備えること
（ハ）上記ＦＭ受信装置は複数の受信周波数を有するとともに、複数の受信周波数の中から１つの受信周波数を選択する選択手段を備えること
【発明の詳細な説明】
【０００１】
【発明の属する技術分野】
本発明は、カラオケ装置、詳しくはハンズフリーでカラオケができるカラオケ装置に関する。
【０００２】
【従来の技術】
従来、家庭向けのカラオケ装置は様々なものが提案され実用に供されているが、これらのカラオケ装置は装置本体が出力装置である家庭用テレビにＡＶケーブルを介して接続され、音声を入力するマイクが装置本体に信号ケーブルで接続されているものであった（例えば、特許文献１参照）。
【０００３】
【特許文献１】
特開平８―７６７７６号公報（第４頁、図１）
【０００４】
【発明が解決しようとする課題】
しかしながら、特許文献１に示されるカラオケ装置は、マイク８０のマイク信号は本体１のオーディオ信号処理回路７５に直接入力されるようになっており、このマイク信号はマイク８０の信号ケーブルを本体１に接続することにより入力されるようになっているもので、ダンスや振りを付けながら歌唱する際には信号ケーブルが邪魔をしてダンスや振りを付けながらの歌唱には適していなかった。
【０００５】
本発明は上記問題点を解消し、ハンズフリーでカラオケを楽しむことができるとともに、ダンスや振りを付けての歌唱に最適なカラオケ装置を提供することをその課題とする。
【０００６】
【課題を解決するための手段】
前記課題を解決するため、本発明に係るカラオケ装置は、以下の要件を備えることを特徴とする。
（イ）上記カラオケ装置はテレビ等の出力装置に接続される装置本体と、該装置本体に無線で接続されるヘッドセットマイク装置とを備えること
（ロ）上記装置本体は楽曲・画像データを記憶したデータカートリッジが着脱可能であること
（ハ）上記ヘッドセットマイク装置は音声をＦＭ波で上記装置本体に送信すること
（二）上記装置本体は上記上記ヘッドセットマイク装置が送信したＦＭ波を受信するとともに、受信したＦＭ波と上記カートリッジに記憶されている楽曲・画像データとに基づいて音声信号及び画像信号を作成し、作成した音声信号及び画像信号を上記出力装置に出力すること
【０００７】
なお、前記カラオケ装置は以下の要件を備えるようにしてもよい。
（イ）前記装置本体の設定を遠隔操作するコントローラを設け、該コントローラは装置本体を遠隔操作する操作信号を赤外線で送信する赤外線送信部を備えること
（ロ）前記装置本体は上記コントローラの送信する赤外線信号を受信する赤外線受信部を備え、該赤外線受信部で受信した赤外線信号に基づいて装置本体の設定が変更されること
【０００８】
また、前記カラオケ装置は以下の要件を備えることが好ましい。
（イ）前記装置本体には前記ヘッドセットマイク装置が送信するＦＭ波を受信する少なくとも１つのＦＭ受信装置を着脱可能に設けること
（ロ）前記ヘッドセットマイク装置は送信するＦＭ波の送信周波数を複数有するとともに、複数の送信周波数の中から１つの送信周波数を選択する選択手段を備えること
（ハ）上記ＦＭ受信装置は複数の受信周波数を有するとともに、複数の受信周波数の中から１つの受信周波数を選択する選択手段を備えること
【０００９】
【発明の実施の形態】
図１は、本発明に係るカラオケ装置の一例を示すもので、このカラオケ装置は音声・映像ケーブル（以下、ＡＶケーブルという）２で出力装置であるテレビ４に接続される装置本体１と、上記装置本体１に無線で接続されるヘッドセットマイク装置３とから構成されている。
【００１０】
装置本体１は手の平に載る程度の大きさの略円盤状に形成され、上面には各種操作ボタンからなる操作部５及びディスプレイ６が、後面には出力装置であるテレビ４に接続するためのＡＶケーブル２のプラグ７ａを差し込むジャック８及びデータカートリッジ９を装着するためのソケット１０が、左側面にはヘッドセットマイク装置３から送信されたＦＭ波を受信する受信アンテナ１１が、右側面には後述するＦＭ受信ユニット４０のプラグ４５が差し込まれるジャック１２、１２が、前面にはヘッドセットマイク装置３から送信される赤外線信号を受信する赤外線受信部１３がそれぞれ配置されている。
【００１１】
操作部５は、図２に示すように演奏曲の再生速度（テンポ）を使用者の好みに合わせて速くしたり遅くしたりするためのテンポコントロールボタン１５、演奏曲の再生音を大きくしたり小さくしたりする音量コントロールボタン１６、残響効果を設定するためのエコー設定ボタン１７、マイクから入力される音声の周波数に対して出力音声の周波数を変えて男性の声や女性の声などに変化させるエフェクト選択ボタン１８、各種設定をキャンセルするキャンセルボタン１９、選択操作に使用されるセレクト／キーボタン２０、カラオケをスタートさせるスタートボタン２１等から構成されている。
【００１２】
ディスプレイ６は、２桁の７セグメントＬＥＤで構成され、セレクト／キーボタン２０を押すと曲番号を表示するので、ディスプレイ６に表示された数字と歌詞カード（図示せず）に記載されている曲番号とから演奏曲を確認することができるようになっている。
【００１３】
ヘッドセットマイク装置３はマイク部２５とコントローラ２６とから構成され、マイク部２５はプレイヤーの頭部に取り付けるヘッドセット部２７にマイク２８がマイクアーム２９を介して取り付けられ、マイク２８で検出した音声は信号ケーブル３０を経由してコントローラ２６に入力されている。
【００１４】
コントローラ２６は前面に操作部３１が設けられ、操作部３１で入力された操作信号を赤外線で送信する赤外線送信部３２と、マイク２８からの音声信号をＦＭ波で送信するＦＭ波送信部３３とを備え、操作信号は透明なカバー２６ａの内側に配置された赤外線ＬＥＤ３４から、ＦＭ波はアンテナ３５からそれぞれ発信されるようになっている。
【００１５】
上記操作部３１は、セレクトボタン３１ａ、３１ｂ決定ボタン３１ｃ、キャンセルボタン３１ｄ及び選択手段である周波数調整つまみ３６とから構成され、セレクトボタン３１ａ、３１ｂは演奏曲を選択するもので、メニュー画面表示時にセレクトボタン３１ａを押すと次の曲を選択でき、セレクトボタン３１ｂを押すと前の曲を選択できるようになっており、決定ボタン３１ｃは、選曲終了後に押すことによって、選択した曲目でカラオケをスタートさせるものである。
【００１６】
また、周波数調整つまみ３６は、左右に回して複数用意された送信周波数（本発明では、３種類、例えば７９．５ＭＨｚ、８１．０ＭＨｚ、８２．５ＭＨｚに設定）の中から１つの送信周波数を任意に選択するとともに、細かく回して送信周波数を微調整するためのもので、他のヘッドセットマイク装置３をデュエットマイクとして使用する場合、装置本体１に後述するデュエットマイク用のＦＭ受信ユニット４０を装着し（図７参照）、デュエットマイクから送信されるＦＭ波を受信することができるが、この際ＦＭ受信ユニット４０の受信周波数とデュエットマイクから送信されるＦＭ波の送信周波数との同調を取る必要があり、周波数調整つまみ３６を回してＦＭ受信ユニット４０の周波数調整つまみ４４のセット位置と同じ位置にセットした後、周波数調整つまみ３６、４４の何れか一方の周波数調整つまみを回して微調整すれば、送信周波数と受信周波数とを同調させ、テレビ４のスピーカから歌声が綺麗に出力させることができるようになっている。
【００１７】
そして、コントローラ２６の背面にはベルトや衣服などにコントローラ自身を止めるクリップ（図視せず）が形成されているので、このクリップでコントローラ２６をベルトに固定すればプレイヤーは両手を自由に使ってダンスや振りを付けて歌唱することができるようになっている。
【００１８】
図４（ａ）（ｂ）はＦＭ受信ユニット４０の正面側斜視図及び背面側斜視図を示し、このＦＭ受信ユニット４０は受信するＦＭ波の受信周波数を選択する周波数調整つまみ４４を備えている。この周波数調整つまみ４４は、左右に回して複数用意された受信周波数（本発明では、３種類、例えば７９．５ＭＨｚ、８１．０ＭＨｚ、８２．５ＭＨｚに設定）の中から１つの受信周波数を任意に選択するとともに選択した受信周波数に受信したＦＭ波の送信周波数に同調させるためにさらに細かく回して微調整するためのもので、この周波数調整つまみ４４は、コントローラ２６の周波数調整つまみ３６とセット位置が同じ位置になるようにセットし、周波数調整つまみ３６、４４の何れか一方の周波数調整つまみを回して微調整することにより、上述したように、コントローラから送信されるＦＭ波の送信周波数と受信周波数とを同調させることができるようにようになっている。
【００１９】
このＦＭ受信ユニット４０は、上記コントローラ２６から送信されたＦＭ波をアンテナ４１で受信し、受信したＦＭ波が選択手段である周波数調整つまみ４４で選択指示した受信周波数であればチューナ４２で同調して復調回路４３で音声信号に復調される。復調された音声信号はプラグ４５を介して装置本体１に入力されるようになっているもので、装置本体１に設けられた入力された音声信号は他の音声信号と後述するミキサ５６でミキシングされる。
【００２０】
図５及び図６は、このカラオケ装置の電気的構成を示すブロック図であり、図５において、符号５０は制御部を示し、この制御部５０は、操作部５から入力される操作信号と、メモリ５１に記憶されている制御プログラムとにしたがって、オーディオ信号処理部５２およびビデオ信号処理部５３を制御するもので、ソケット１０に差し込まれたデータカートリッジ９から楽曲・画像データを読み込み、読み込んだ楽曲データから伴奏曲を演奏するための楽音信号を作成してオーディオ信号処理部５２に出力するとともに、読み込んだ画像データから曲のタイトル、歌詞、背景などを表示するための画像信号を作成してビデオ信号処理部５３に出力する。
【００２１】
カラオケマイク装置３はマイク２８で検出した音声は入力増幅部３７で増幅され、周波数調整つまみ３６で送信周波数を選択すると、ＦＭ波送信部３３は選択された送信周波数でＦＭ波をアンテナ３５から発信する。一方、赤外線送信部３２は操作部３１で操作した結果を赤外線ＬＥＤ３４から赤外線信号で発信する。
【００２２】
そして、カラオケマイク装置３から発信されたＦＭ波はアンテナ１１で受信され、受信部５５で音声信号に変換され、ミキサ５６で他の音声信号とミキシングされオーディオ信号処理部５２に入力される。一方、カラオケマイク装置３から発信された赤外線信号は赤外線受信部１３で受信され、デコーダ回路５７で操作信号に変換されて操作部５の操作信号とともに制御部５０に入力される。
【００２３】
また、ＦＭ受信ユニット４０はアンテナ４１で受信したＦＭ波が周波数調整つまみ４４で選択した受信周波数であればチューナ４２で同調し、復調回路４３で音声信号に復調され、プラグ４５、装置本体１のジャック１２、ミキサ５６を経由してオーディオ信号処理部５２に入力される。
【００２４】
なお、符号６は、２桁の７セグメントＬＥＤで構成されたディスプレイを示し、セレクト／キーボタン２０を押すと曲番号が表示されるもので出力装置としてラジオ装置を使用した場合には、ディスプレイ６に表示された数字と歌詞カード（図示せず）に記載されている曲番号とから演奏曲を確認することができるようになっている。
【００２５】
オーディオ信号処理部５２は、ヘッドセットマイク装置３から送信されたＦＭ波を受信部５５で変換した音声信号と、制御部３０から出力される楽音信号とをミキシングし、エコー、キーの高低、スピード、ボイスチェンジ等の効果を付加してオーディオ信号を作成しＡＶケーブル２を介してテレビ４に出力する。
【００２６】
ビデオ信号処理部５３はデータカートリッジ９から入力された曲のタイトルや歌詞を示す画像データをビデオ信号に変換してＡＶケーブル２を介してテレビ４に出力するようになっている。
【００２７】
そして、出力されるビデオ信号およびオーディオ信号は、出力装置であるテレビ４のＡＶ入力端子５８に入力され、入力されたビデオ信号は歌詞、背景などの画像としてテレビ４のモニターに表示され、オーディオ信号はテレビ４のスピーカから演奏曲及び音声として出力される。
【００２８】
データカートリッジ９は、カラオケ演奏用の楽曲データ、歌詞及び背景画面データが記憶されたＲＯＭを内蔵し、装置本体１のソケット１０に差し込むことにより記憶してあるデータの読み出しができるようになっている。
【００２９】
なお、符号１２はジャックを示し、このジャック１２にはＦＭ受信ユニット４０のプラグ４５が差し込まれ、デュエットマイクと位置付けられたヘッドセットマイク装置３’から送信されたＦＭ波をＦＭ受信ユニット４０が受信すると、受信したＦＭ波は音声信号に変換されてジャック１２を介してミキサ５６で他のヘッドセットマイク装置３から送信された音声信号とミキシングされるようになっている。ミキサ５６でミキシングされた音声信号はオーディオ信号処理部５２で制御部３０から出力される楽音信号とミキシングされるとともにエコー、キーの高低、スピード、ボイスチェンジ等の効果が付加されてオーディオ信号として出力される。
【００３０】
上記構成のカラオケ装置を使用するにあたっては、データカートリッジ９をソケット１０に差し込み、ＡＶケーブル２のプラグ７ａを装置本体１のジャック８に、プラグ７ｂをテレビ４のＡＶ入力端子５８にそれぞれ差し込み、ヘッドセットマイク装置３を頭部に装着した後、装置本体１の電源とコントローラの電源とをＯＮする。
【００３１】
電源をＯＮすると、テレビ４のモニターに、タイトル画面が表示された後、曲セレクト画面が表示されるようにしておけば、プレイヤーは操作部５の各ボタンを操作して曲の選択やエコーの設定やボイスチェンジの設定などの効果を演奏者の好みに合わせて設定し、スタートボタン２１を押して演奏を開始すればよい。
【００３２】
このとき、ヘッドセットマイク装置３から送信されるＦＭ波の送信周波数と装置本体１の受信周波数とを一致させる必要があるが、装置本体１の受信周波数は固定（例えば、８１．０ＭＨｚに設定）されているため、コントローラ２６の周波数調整つまみ３６を縦位置に回して送信周波数を８１．０ＭＨｚにし、装置本体１の受信周波数に合わせ、マイク２８に入力された音声がテレビ４のスピーカから綺麗に出力されるように、マイク２８に音声を入力しながら周波数調整つまみ３６を左右に回して送信周波数を微調整する。
【００３３】
演奏曲の選択は、予め効果等が設定されていれば、コントローラ２６のセレクトボタン３１ａ、３１ｂで行なってもよく、セレクトボタン３１ａ、３１ｂの検出信号は赤外線信号で発信され、受信した赤外線信号はデコーダ回路５７で操作信号に変換され装置本体１の操作部５と同様に曲の選択を遠隔操作で行なうことができ、決定ボタン３１ｃを押せば選択した演奏曲が確定され、演奏曲がスピーカから出力される。
【００３４】
選曲した演奏曲がスピーカから流れ始めたらコントローラ２６をクリップ（図示せず）でベルトや衣服に取り付ける。テレビ４のスピーカから流れる演奏曲にあわせて歌うと、声はマイク２８で検出されアンテナ３５からＦＭ波で発信され、テレビ場所に４の近傍に置かれた装置本体１のアンテナ１１で受信され、受信部５５で音声信号に変換されオーディオ信号処理部５２で演奏曲とミキシングされるとともにオーディオ信号に変換されて出力され、テレビ４のスピーカから演奏曲とともに演奏者の歌声が出力される。
【００３５】
そして、ヘッドセットマイク装置３と装置本体１とはケーブルで接続されていないので、身体を自由に動かして振りをつけたり踊ったりしながら歌うことができ、単にマイクを持って歌う従来のカラオケ装置では楽しむことのできない振りをつけて歌うカラオケを楽しむことができ、人気者の若者のグループがテレビで歌っているのと同じような振りや踊りでカラオケをすることができ、若者に受け入れられるカラオケ装置を実現することができる。
【００３６】
なお、複数のプレイヤーでカラオケをする場合は、ＦＭ受信ユニット４０のプラグ４５を装置本体１のジャック１２に差しこんでＦＭ受信ユニット４０を装置本体１に装着する（図６参照）。そして、ＦＭ受信ユニット４０の周波数調整つまみ４４を左右何れかに回してデュエットマイクとして使用するヘッドセットマイク装置３のコントローラ２６に設けた周波数調整つまみ３６のセット位置と同じ位置にセットする。このことにより、デュエットマイクから送信されるＦＭ波はＦＭ受信ユニット４０で受信され、プレイヤーの歌声が音声信号として装置本体１に入力される。デュエットマイクとしてヘッドセットマイク装置３が２つ使用される場合は、ＦＭ受信ユニット４０同士の周波数調整つまみ４４とコントローラ２６同士の周波数調整つまみ３６とが同じにならないようセット位置を設定すればよい。
【００３７】
このことにより、例えば、第１のデュエットマイクとして使用されるヘッドセットマイク装置３から送信されたＦＭ波は第１のデュエットマイク用のＦＭ受信ユニット４０で受信され、第２のデュエットマイクとして使用されるヘッドセットマイク装置３から送信されたＦＭ波は第２のデュエットマイク用のＦＭ受信ユニット４０で受信されるので、音声信号は混信することなく装置本体１に入力される。入力された音声信号はミキサ５６で他の音声信号とミキシングされてオーディオ信号としてテレビに出力され、複数のプレイヤーでカラオケを楽しむことができる。
【００３８】
【発明の効果】
請求項１の発明によれば、マイクを手で持つ必要がないヘッドセットマイクにするとともに、マイクで検出した歌声は無線で装置本体に送信するようにしたので、単に両手がフリーになるだけではなく、マイクと装置本体との間にケーブルが存在しないので、踊りながらカラオケをしてもケーブルに邪魔されることがなく、単にマイクを持って歌う従来のカラオケ装置では楽しむことのできない振りをつけたり、踊ったりしながら歌うカラオケを楽しむことができる。
【００３９】
請求項２の発明によれば、ヘッドセットマイク装置にコントローラを設けたので、選曲するたびに装置本体の設置場所に行って選曲操作をする必要がない。
【００４０】
請求項３の発明によれば、装置本体にＦＭ受信装置を装着し、ヘッドセットマイク装置から送信されるＦＭ波との同調を取るようにしたので、混信することなく複数の人数でカラオケを楽しむことができる。
【図面の簡単な説明】
【図１】本発明に係るカラオケ装置の使用状態を説明する斜視図
【図２】装置本体の斜視図
【図３】ヘッドセットマイク装置の構成を説明する斜視図
【図４】（ａ）（ｂ）はＦＭ受信ユニットの正面側斜視図及び背面側斜視図
【図５】上記カラオケ装置のブロック図
【図６】ヘッドセットマイク装置とＦＭ受信ユニットのブロック図
【図７】デュエットマイク対応の装置本体の斜視図
【符号の説明】
１　装置本体
３　ヘッドセットマイク装置
９　データカートリッジ
１１　ＦＭ受信部
１３　赤外線受信部
２６　コントローラ
３２　赤外線送信部
３３　ＦＭ受信装置
３６　選択手段（周波数調整つまみ）
４４　選択手段（周波数調整つまみ）
【図１】
2004117552.tif 000003
【図２】
2004117552.tif 000004
【図３】
2004117552.tif 000005
【図４】
2004117552.tif 000006
【図５】
2004117552.tif 000007
【図６】
2004117552.tif 000008
【図７】
2004117552.tif 000009